(57)【要約】【課題】基地局の住所や緯度経度を確認することができ、基地局の設置態様を立体的に確認することができる基地局情報管理サーバを提供する。【解決手段】基地局情報管理サーバは、既存のすべての移動体通信事業者に属する既設の基地局の住所および緯度経度を含む基地局データを記憶する基地局データ記憶手段と、基地局の位置を地図上にマッピングした位置データを記憶する位置データ記憶手段と、基地局データを出力する基地局データ出力手段と、位置データに基づいて基地局の三次元立体画像を生成しつつ、生成した三次元立体画像を三次元地図画面上に出力する三次元位置画像出力手段とを有する。【選択図】図１
2009027633.tif 000002
【特許請求の範囲】
【請求項１】
既存のすべての移動体通信事業者に属する既設の基地局の住所および緯度経度を含む基地局データを記憶する基地局データ記憶手段と、前記基地局の位置を地図上にマッピングした位置データを記憶する位置データ記憶手段と、前記基地局データを出力する基地局データ出力手段と、前記位置データに基づいて前記基地局の三次元立体画像を生成しつつ、生成した三次元立体画像を三次元地図画面上に出力する三次元位置画像出力手段とを有する基地局情報管理装置。
【請求項２】
前記基地局データ記憶手段では、あらたな基地局が新設されたときにその基地局の基地局データを記憶し、あらたな基地局が新設されたときにその基地局の位置データを記憶する請求項１記載の基地局情報管理装置。
【請求項３】
前記基地局情報管理装置は、既設の基地局が廃止されたときにその基地局の基地局データを削除する基地局データ削除手段と、既設の基地局が廃止されたときにその基地局の位置データを削除する位置データ削除手段とを有する請求項１または請求項２に記載の基地局情報管理装置。
【請求項４】
前記基地局データ出力手段では、前記基地局データを各通信エリア毎に区分して出力可能であり、前記三次元位置画像出力手段では、前記基地局の三次元立体画像を各通信エリア毎に区分して三次元地図画面上に出力可能である請求項１ないし請求項３いずれかに記載の基地局情報管理装置。
【請求項５】
前記基地局データ出力手段では、前記基地局データを各移動体通信事業者毎に区分して出力可能であり、前記三次元位置画像出力手段では、前記基地局の三次元立体画像を各移動体通信事業者毎に区分して三次元地図画面上に出力可能である請求項１ないし請求項４いずれかに記載の基地局情報管理装置。
【請求項６】
前記基地局データ出力手段では、過去から現在までの期間から所定の期日が指定されたときにその指定期日における基地局データを出力可能であり、前記三次元位置画像出力手段では、過去から現在までの期間から所定の期日が指定されたときにその指定期日における基地局の三次元立体画像を三次元地図画面上に出力可能である請求項１ないし請求項５いずれかに記載の基地局情報管理装置。
【請求項７】
前記基地局データ出力手段では、過去から現在までの期間から所定の期間が指定されたときにその指定期間内に新設された基地局の基地局データを出力可能であり、前記三次元位置画像出力手段では、過去から現在までの期間から所定の期間が指定されたときにその指定期間内に新設された基地局の三次元立体画像を三次元地図画面上に出力可能である請求項２ないし請求項６いずれかに記載の基地局情報管理装置。
【請求項８】
前記基地局データ出力手段では、過去から現在までの期間から所定の期間が指定されたときにその指定期間内に廃止された基地局の基地局データを出力可能であり、前記三次元位置画像出力手段では、過去から現在までの期間から所定の期間が指定されたときにその指定期間内に廃止された基地局の位置の三次元立体画像を三次元地図画面上に出力可能である請求項３ないし請求項７いずれかに記載の基地局情報管理装置。
【請求項９】
前記基地局データには、基地局の基地局名、設置年月日、移動体通信事業者名、使用周波数帯域、基地局が設置された物件名、基地局の高さ、基地局が設置された物件の高さが含まれる請求項１ないし請求項８いずれかに記載の基地局情報管理装置。
【請求項１０】
前記基地局情報管理装置は、あらたな基地局の新設予定があるときにその基地局の住所および緯度経度を含む新設予定基地局データを記憶する新設予定基地局データ記憶手段と、前記新設予定基地局を新設する位置を地図上にマッピングした新設予定位置データを記憶する新設予定位置データ記憶手段と、前記新設予定基地局データを出力する新設予定基地局データ出力手段と、前記新設予定位置データに基づいて前記基地局を新設する位置の三次元立体画像を生成しつつ、生成した三次元立体画像を三次元地図画面上に出力する三次元新設予定位置画像出力手段とを有する請求項１ないし請求項９いずれかに記載の基地局情報管理装置。
【請求項１１】
前記新設予定基地局データには、新設予定基地局の基地局名、設置予定年月日、移動体通信事業者名、使用周波数帯域、新設予定基地局が設置される物件名、新設予定基地局の高さ、新設予定基地局が設置される物件の高さが含まれる請求項１０記載の基地局情報管理装置。
【請求項１２】
前記基地局情報管理装置は、既設の基地局の廃止予定があるときにその基地局の住所および緯度経度を含む廃止予定基地局データを記憶する廃止予定基地局データ記憶手段と、前記廃止予定基地局の位置を地図上にマッピングした廃止予定位置データを記憶する廃止予定位置データ記憶手段と、前記廃止予定基地局データを出力する廃止予定基地局データ出力手段と、前記廃止予定位置データに基づいて前記廃止予定基地局の三次元立体画像を生成しつつ、生成した三次元立体画像を三次元地図画面上に出力する三次元廃止予定位置画像出力手段とを有する請求項１ないし請求項１１いずれかに記載の基地局情報管理装置。
【請求項１３】
前記廃止予定基地局データには、廃止予定基地局の基地局名、廃止予定年月日、移動体通信事業者名、使用周波数帯域、廃止予定基地局が設置された物件名、廃止予定基地局の高さ、廃止予定基地局が設置されている物件の高さが含まれる請求項１２記載の基地局情報管理装置。
【発明の詳細な説明】
【技術分野】
【０００１】
本発明は、各地に設置された基地局の各種情報を管理する基地局情報管理装置に関する。
【背景技術】
【０００２】
所定の通信エリア（セル）を有する複数の基地局と、それら基地局の通信エリア内においてその基地局と通信することで所定のサービスを受けることが可能な移動局とから形成され、使用者が移動局の送受信可能な通信エリアを知ることが可能な移動体通信システムがある（特許文献１参照）。移動局は、基地局の位置情報を受信する位置情報受信手段と、受信した位置情報を記憶する位置情報記憶手段と、位置情報記憶手段を介して記憶した位置情報を通信エリア外において使用者に通知する位置情報通知手段とを有する。移動局は、使用者の操作に従って位置情報メッセージを基地局に送信する。基地局は、受信した位置情報メッセージに基地局の識別情報を添付し、そのメッセージを交換局に転送する。交換局は、識別情報に示された基地局に隣接する基地局の位置情報を基地局位置案内情報データベースから抽出し、その位置情報を移動局に送信する。
【特許文献１】特開２００２−１４２２４２号公報
【発明の開示】
【発明が解決しようとする課題】
【０００３】
前記特許文献１に開示の移動体通信システムは、基地局位置案内情報データベースに各基地局の位置情報が格納され、それに基づいて基地局の位置を特定する。しかし、このシステムは、移動局の現在位置から基地局の設置箇所までの距離や基地局の設置箇所名を表示するだけであり、基地局の住所や緯度経度を表示することはなく、基地局を三次元の立体画像として三次元地図画面上に表示することもない。したがって、基地局の住所や緯度経度を確認することができず、基地局の設置位置を正確に特定することができない。また、基地局の設置態様を立体的に確認することができず、基地局の現実の設置状況を把握することができない。
【０００４】
本発明の目的は、基地局の住所や緯度経度を確認することができ、基地局の設置態様を立体的に確認することができる基地局情報管理装置を提供することにある。
【課題を解決するための手段】
【０００５】
前記課題を解決するための本発明にかかる基地局情報管理装置は、既存のすべての移動体通信事業者に属する既設の基地局の住所および緯度経度を含む基地局データを記憶する基地局データ記憶手段と、基地局の位置を地図上にマッピングした位置データを記憶する位置データ記憶手段と、基地局データを出力する基地局データ出力手段と、位置データに基づいて基地局の三次元立体画像を生成しつつ、生成した三次元立体画像を三次元地図画面上に出力する三次元位置画像出力手段とを有する。
【０００６】
本発明の一例として、基地局データ記憶手段では、あらたな基地局が新設されたときにその基地局の基地局データを記憶し、あらたな基地局が新設されたときにその基地局の位置データを記憶する。
【０００７】
本発明の他の一例として、基地局情報管理装置は、既設の基地局が廃止されたときにその基地局の基地局データを基地局データ削除手段と、既設の基地局が廃止されたときにその基地局の位置データを削除する位置データ削除手段とを有する。
【０００８】
本発明の他の一例として、基地局データ出力手段では、基地局データを各通信エリア毎に区分して出力可能であり、三次元位置画像出力手段では、基地局の三次元立体画像を各通信エリア毎に区分して三次元地図画面上に出力可能である。
【０００９】
本発明の他の一例として、基地局データ出力手段では、基地局データを各移動体通信事業者毎に区分して出力可能であり、三次元位置画像出力手段では、基地局の三次元立体画像を各移動体通信事業者毎に区分して三次元地図画面上に出力可能である。
【００１０】
本発明の他の一例として、基地局データ出力手段では、過去から現在までの期間から所定の期日が指定されたときにその指定期日における基地局データを出力可能であり、三次元位置画像出力手段では、過去から現在までの期間から所定の期日が指定されたときにその指定期日における基地局の三次元立体画像を三次元地図画面上に出力可能である。
【００１１】
本発明の他の一例として、基地局データ出力手段では、過去から現在までの期間から所定の期間が指定されたときにその指定期間内に新設された基地局の基地局データを出力可能であり、三次元位置画像出力手段では、過去から現在までの期間から所定の期間が指定されたときにその指定期間内に新設された基地局の三次元立体画像を三次元地図画面上に出力可能である。
【００１２】
本発明の他の一例として、基地局データ出力手段では、過去から現在までの期間から所定の期間が指定されたときにその指定期間内に廃止された基地局の基地局データを出力可能であり、三次元位置画像出力手段では、過去から現在までの期間から所定の期間が指定されたときにその指定期間内に廃止された基地局の位置の三次元立体画像を三次元地図画面上に出力可能である。
【００１３】
本発明の他の一例として、基地局データには、基地局の基地局名、設置年月日、移動体通信事業者名、使用周波数帯域、基地局が設置された物件名、基地局の高さ、基地局が設置された物件の高さが含まれる。
【００１４】
本発明の他の一例として、基地局情報管理装置は、あらたな基地局の新設予定があるときにその基地局の住所および緯度経度を含む新設予定基地局データを記憶する新設予定基地局データ記憶手段と、新設予定基地局を新設する位置を地図上にマッピングした新設予定位置データを記憶する新設予定位置データ記憶手段と、新設予定基地局データを出力する新設予定基地局データ出力手段と、新設予定位置データに基づいて基地局を新設する位置の三次元立体画像を生成しつつ、生成した三次元立体画像を三次元地図画面上に出力する三次元新設予定位置画像出力手段とを有する。
【００１５】
本発明の他の一例として、新設予定基地局データには、新設予定基地局の基地局名、設置予定年月日、移動体通信事業者名、使用周波数帯域、新設予定基地局が設置される物件名、新設予定基地局の高さ、新設予定基地局が設置される物件の高さが含まれる。
【００１６】
本発明の他の一例として、基地局情報管理装置は、既設の基地局の廃止予定があるときにその基地局の住所および緯度経度を含む廃止予定基地局データを記憶する廃止予定基地局データ記憶手段と、廃止予定基地局の位置を地図上にマッピングした廃止予定位置データを記憶する廃止予定位置データ記憶手段と、廃止予定基地局データを出力する廃止予定基地局データ出力手段と、廃止予定位置データに基づいて廃止予定基地局の三次元立体画像を生成しつつ、生成した三次元立体画像を三次元地図画面上に出力する三次元廃止予定位置画像出力手段とを有する。
【００１７】
本発明の他の一例として、廃止予定基地局データには、廃止予定基地局の基地局名、廃止予定年月日、移動体通信事業者名、使用周波数帯域、廃止予定基地局が設置された物件名、廃止予定基地局の高さ、廃止予定基地局が設置されている物件の高さが含まれる。
【発明の効果】
【００１８】
本発明に係る基地局情報管理装置によれば、既存のすべての移動体通信事業者に属する既設の基地局の住所および緯度経度を含む基地局データを出力するから、特定の移動体通信事業者のみの基地局データしか出力できない場合と比較し、すべての移動体通信事業者の基地局設置状況を把握することができる。基地局情報管理装置は、すべての移動体通信事業者の基地局データを参照しつつそれを利用することで、基地局設置の必要性を判断することができるとともに、今後の基地局設置予定地や設置予定日時、設置工事日数等を決定することができ、携帯電話通信網のインフラストラクチャーの整備を円滑に進めることができる。この基地局情報管理装置は、基地局を三次元の立体画像として三次元地図画面上に出力するから、基地局の設置態様を立体的に確認することができ、基地局の立体画像を参照しつつそれを利用することで、基地局の設置高さやアンテナ型、周辺の建造物、周辺の地形等の現実の設置状況を正確に把握することができる。
【００１９】
あらたな基地局が新設されたときにその基地局の基地局データを記憶し、あらたな基地局が新設されたときにその基地局の位置データを記憶する基地局情報管理装置は、基地局の新設に合わせて新設基地局の基地局データを随時記憶するから、新設された基地局を加えた最新の基地局データを提供することができ、最新の基地局設置状況を把握することができる。基地局情報管理装置は、最新の基地局データを参照しつつそれを利用することで、基地局設置の必要性を判断することができるとともに、今後の基地局設置予定地や設置予定日時、設置工事日数等を決定することができ、携帯電話通信網のインフラストラクチャーの整備を円滑に進めることができる。この基地局情報管理装置は、基地局の新設に合わせて新設基地局の位置データを随時記憶し、最新の位置データに基づいて基地局を三次元立体画像として三次元地図画面上に出力するから、新設された基地局を含む各基地局の設置態様を立体的に確認することができ、基地局の立体画像を参照しつつそれを利用することで、基地局の設置高さやアンテナ型、周辺の建造物、周辺の地形等の現実の設置状況を正確に把握することができる。
【００２０】
既設の基地局が廃止されたときにその基地局の基地局データを削除し、既設の基地局が廃止されたときにその基地局の位置データを削除する基地局情報管理装置は、基地局の廃止に合わせて廃止基地局の基地局データを随時削除するから、廃止された基地局を除いた最新の基地局データを提供することができ、最新の基地局設置状況を把握することができる。基地局情報管理装置は、最新の基地局データを参照しつつそれを利用することで、基地局設置の必要性を判断することができるとともに、今後の基地局設置予定地や設置予定日時、設置工事日数等を決定することができ、携帯電話通信網のインフラストラクチャーの整備を円滑に進めることができる。この基地局情報管理装置は、基地局の廃止に合わせて廃止基地局の位置データを随時削除し、最新の位置データに基づいて基地局を三次元立体画像として三次元地図画面上に出力するから、廃止された基地局を除く各基地局の設置態様を立体的に確認することができ、基地局の立体画像を参照しつつそれを利用することで、基地局の設置高さやアンテナ型、周辺の建造物、周辺の地形等の現実の設置状況を正確に把握することができる。
【００２１】
基地局データを各通信エリア毎に区分して出力可能であり、基地局の三次元立体画像を各通信エリア毎に区分して三次元地図画面上に出力可能な基地局情報管理装置は、各通信エリアに対応する基地局データを出力することで、通信エリア内に存在する全移動体通信事業者の基地局を把握することができ、通信エリア内における今後の基地局の新設の必要性や廃止の必要性を判断することができる。この基地局情報管理装置は、基地局の三次元立体画像を各通信エリア毎に区分して三次元地図画面上に出力するから、各通信エリアに設置されている基地局の設置態様を立体的に確認することができ、基地局の立体画像を参照しつつそれを利用することで、各通信エリアにおける基地局の設置高さやアンテナ型、周辺の建造物、周辺の地形等の現実の設置状況を正確に把握することができる。
【００２２】
基地局データを各移動体通信事業者毎に区分して出力可能であり、基地局の三次元立体画像を各移動体通信事業者毎に区分して三次元地図画面上に出力可能な基地局情報管理装置は、各移動体通信事業者に対応する基地局データを出力することで、移動体通信事業者毎における基地局の設置状況を把握することができ、各移動体通信事業者毎において今後の基地局の新設の必要性や廃止の必要性を判断することができる。この基地局情報管理装置は、基地局の三次元立体画像を各移動体通信事業者毎に区分して三次元地図画面上に出力するから、各移動体通信事業者に属する基地局の設置態様を立体的に確認することができ、基地局の立体画像を参照しつつそれを利用することで、各移動体通信事業者に属する基地局の設置高さやアンテナ型、周辺の建造物、周辺の地形等の現実の設置状況を正確に把握することができる。
【００２３】
過去から現在までの期間から所定の期日が指定されたときにその指定期日における基地局データを出力可能であり、過去から現在までの期間から所定の期日が指定されたときにその指定期日における基地局の三次元立体画像を三次元地図画面上に出力可能な基地局情報管理装置は、指定された期日における基地局の基地局データを出力することで、過去から現在までのいずれかの期日における基地局の設置状況を把握することができ、過去から現在までの基地局の設置状況を比較することができる。この基地局情報管理装置は、位置データに基づいて指定期日における基地局の三次元立体画像を三次元地図画面上に出力するから、指定期日における基地局の設置態様を立体的に確認することができ、基地局の立体画像を参照しつつそれを利用することで、指定した期日における基地局の設置高さやアンテナ型、周辺の建造物、周辺の地形等の現実の設置状況を正確に把握することができる。
【００２４】
過去から現在までの期間から所定の期間が指定されたときにその指定期間内に新設された基地局の基地局データを出力可能であり、過去から現在までの期間から所定の期間が指定されたときにその指定期間内に新設された基地局の三次元立体画像を三次元地図画面上に出力可能な基地局情報管理装置は、指定期間内に新設された基地局の基地局データを出力することで、指定期間内に新設された基地局の設置状況を把握することができる。この基地局情報管理装置は、指定期間内に新設された基地局の三次元立体画像を三次元地図画面上に出力するから、新設された基地局の設置態様を立体的に確認することができ、基地局の立体画像を参照しつつそれを利用することで、指定期間内に新設された基地局の設置高さやアンテナ型、周辺の建造物、周辺の地形等の現実の設置状況を正確に把握することができる。
【００２５】
過去から現在までの期間から所定の期間が指定されたときにその指定期間内に廃止された基地局の基地局データを出力可能であり、過去から現在までの期間から所定の期間が指定されたときにその指定期間内に廃止された基地局の位置の三次元立体画像を三次元地図画面上に出力可能な基地局情報管理装置は、指定期間内に廃止された基地局の基地局データを出力することで、指定期間内における基地局の廃止状況を把握することができる。この基地局情報管理装置は、指定期間内に廃止された基地局の位置の三次元立体画像を三次元地図画面上に出力するから、基地局が廃止された位置の態様を立体的に確認することができ、基地局が廃止された位置の立体画像を参照しつつそれを利用することで、廃止された基地局の位置の高さや周辺の建造物、周辺の地形等の現実の位置状況を正確に把握することができる。
【００２６】
前記基地局データとして、基地局の基地局名、設置年月日、移動体通信事業者名、使用周波数帯域、基地局が設置された物件名、基地局の高さ、基地局が設置された物件の高さを含む基地局情報管理装置は、基地局の設置年月日からその基地局の今後の耐久年数を判断することができ、移動体通信事業者名から基地局を使用する移動体通信事業者を判断することができる。また、使用周波数帯域から既設の基地局の使用周波数を判断することができ、基地局が設置された物件名から建造物の名称や土地の名称等を判断することができる。さらに、基地局の高さから既設の基地局の設置高さを判断することができ、基地局が設置された物件の高さから物件の階数や土地の標高等を判断することができる。
【００２７】
新設予定の基地局の新設予定基地局データ記憶手段や新設予定位置データ記憶手段、新設予定基地局データ出力手段、三次元予新設定位置画像出力手段を含む基地局情報管理装置は、新設予定の基地局の基地局データを参照しつつそれを利用することで、設置を予定する移動体通信事業者や基地局設置予定地、設置予定日時、設置工事日数等を把握することができ、携帯電話通信網のインフラストラクチャーの整備を円滑に進めることができる。この基地局情報管理装置は、基地局が新設される予定位置を三次元の立体画像として三次元地図画面上に出力するから、予定位置を立体的に確認することができ、予定位置の立体画像を参照しつつそれを利用することで、予定位置の高さや周辺の建造物、周辺の地形等の基地局が設置される位置の状況を正確に把握することができる。
【００２８】
新設予定基地局データとして、新設予定基地局の基地局名、新設予定年月日、移動体通信事業者名、使用周波数帯域、新設予定基地局が設置される物件名、新設予定基地局の高さ、新設予定基地局が設置される物件の高さを含む基地局情報管理装置は、基地局の新設予定年月日からその基地局の設置時期や使用開始時期を判断することができ、移動体通信事業者名から基地局を新設する移動体通信事業者を判断することができる。また、使用周波数帯域から新設予定の基地局の使用周波数を判断することができ、基地局が設置される物件名から建造物の名称や土地の名称等を判断することができる。さらに、新設予定基地局の高さから新設基地局の設置高さを判断することができ、新設予定基地局が設置される物件の高さから物件の階数や土地の標高等を判断することができる。
【００２９】
廃止予定の基地局の廃止予定基地局データ記憶手段や廃止予定位置データ記憶手段、廃止予定基地局データ出力手段、三次元廃止予定位置画像出力手段を含む基地局情報管理装置は、廃止予定の基地局の基地局データを参照しつつそれを利用することで、廃止を予定する移動体通信事業者や基地局廃止予定地、廃止予定日時、廃止工事日数等を把握することができ、携帯電話通信網のインフラストラクチャーの整備を円滑に進めることができる。この基地局情報管理装置は、廃止される基地局を三次元の立体画像として三次元地図画面上に出力するから、その基地局を立体的に確認することができ、廃止予定の基地局の立体画像を参照しつつそれを利用することで、廃止予定の基地局の高さや周辺の建造物、周辺の地形等の状況を正確に把握することができる。
【００３０】
廃止予定基地局データとして、廃止予定基地局の基地局名、廃止予定年月日、移動体通信事業者名、使用周波数帯域、廃止予定基地局が設置された物件名、廃止予定基地局の高さ、廃止予定基地局が設置された物件の高さを含む基地局情報管理装置は、基地局の廃止予定年月日からその基地局の廃止予定時期や使用可能時期を判断することができ、移動体通信事業者名から基地局を廃止する移動体通信事業者を判断することができる。また、使用周波数帯域から廃止予定の基地局の使用周波数を判断することができ、基地局が廃止される物件名から建造物の名称や土地の名称等を判断することができる。さらに、廃止予定基地局の高さから廃止基地局の設置高さを判断することができ、廃止予定基地局が設置されている物件の高さから物件の階数や土地の標高等を判断することができる。
【発明を実施するための最良の形態】
【００３１】
添付の図面を参照し、本発明に係る基地局情報管理装置の詳細を説明すると、以下のとおりである。図１は、一例として示す基地局情報管理サーバ１２（基地局情報管理装置）を利用したネットワーク１０（基地局情報管理システム）の構成図である。このネットワーク１０は、各移動体通信事業者（キャリア）が管理保管する複数のキャリアコンピュータ１１Ａ，１１Ｂと、基地局情報管理サーバ１２（基地局情報管理装置）と、管理サーバ１２に接続された高速大容量データベース１３とから形成されている。ネットワーク１０では、それらキャリアコンピュータ１１Ａ，１１Ｂやデータベース１３が管理サーバ１２にインターフェイス（有線または無線）を介して接続されている。キャリアコンピュータ１１Ａ，１１Ｂのうちのコンピュータ１１Ｂは、インターネット１４を介して管理サーバ１２に接続される。
【００３２】
このネットワーク１０には、図示はしていないが、ホスト名とそのホスト名に割り当てるＩＰアドレスとの対応付けを設定するＤＮＳサーバ、ホームページを公開するために必要なＷｅｂサーバ、他のキャリアコンピュータ１１Ａ，１１Ｂや他のサーバからの要求を受け付けて各種データを読み書きする機能を提供するデータベースサーバ、電子メールの送受信用のメールサーバ、作成された文章や画像等のデータをすべて保存してそれらのデータを検索可能にするドキュメントサーバ等のサーバ群が接続されている。ネットワーク１０を形成するコンピュータ１１Ａ，１１Ｂや基地局情報管理サーバ１２、各種サーバは、高速広帯域回線によって互いに連結されている。管理サーバ１２は、バス型ネットワークやスター型ネットワーク、ピア・ツー・ピア型ネットワーク、リング型ネットワーク等の既存のネットワーク結合方法のすべてに対応することができる。
【００３３】
各キャリアコンピュータ１１Ａ，１１Ｂには、図示はしていないが、マウス、プリンタ、スキャナ、外付けハードディスクがインターフェイスを介して接続されている。コンピュータ１１Ａ，１１Ｂは、ネットワーク１０を介して基地局情報管理サーバ１２から各種データを受信する。コンピュータ１１Ａ，１１ＢにはメモリスティックやＩＣレコーダ、ＰＤＡ、携帯電話等の既存のリムーバブルディスクを着脱可能に接続することができ、コンピュータ１１Ａ，１１Ｂとそれらリムーバブルディスクとの間で各種データを交換することができる。コンピュータ１１Ａ，１１Ｂは、インターネット１４に接続可能であり、所定のＷｅｂサイトにアクセスしてそのサイトにログインすることができる。
【００３４】
基地局情報管理サーバ１２は、中央処理部とメモリとを有するコンピュータである。管理サーバ１２は、ネットワーク１０を介して各種データをキャリアコンピュータ１１Ａ，１１Ｂに送信（出力）する。管理サーバ１２には、キーボード１５およびディスプレイ１６がインターフェイスを介して接続され、図示はしていないが、マウスやプリンタがインターフェイスを介して接続されている。管理サーバ１２は、インターネット１４に接続可能であり、所定のＷｅｂサイトにアクセスしてそのサイトにログインすることができる。データベース１３は、インターフェイスを介して管理サーバ１２に接続されている。データベース１３は、管理サーバ１２からのデータ出力要求に従って、各種データを管理サーバ１２に出力し、管理サーバ１２からのデータ格納要求に従って、各種データを各内部アドレスファイルに格納する。
【００３５】
基地局情報管理サーバ１２は、オペレーティングシステムによる制御に基づいて、メモリの命令ファイルに格納された基地局情報管理アプリケーション（後記する各手段（基地局情報管理方法）をサーバ１２に実行させるための基地局情報管理プログラム）を起動し、アプリケーションに従って以下の各手段を実行する。管理サーバ１２に各手段を実行させるための基地局情報管理アプリケーションは、それを記憶したＣＤ−ＲＯＭやリムーバブルディスク等の基地局情報管理アプリケーション記憶媒体から管理サーバ１２にインストールされる。
【００３６】
基地局情報管理サーバ１２のメモリの命令ファイルには、空間データと、空間データを加工・分析・表示するためのＧＩＳ（Geographic Information Systems）アプリケーションが格納されている。管理サーバ１２は、ＧＩＳアプリケーションを起動することで、位置や空間に関する情報（空間データ）を管理・加工し、視覚的に表示する地理情報システム（ＧＩＳ）を実行することができる。空間データには、人工衛星データ、空中写真データ、建造物データ、地形データ、土地利用データ、土地条件データ、道路河川台帳データ等が含まれる。管理サーバ１２に地理情報システムを実行させるＧＩＳアプリケーションは、それを記憶したＣＤ−ＲＯＭやリムーバブルディスク等のＧＩＳアプリケーション記憶媒体から管理サーバ１２にインストールされる。
【００３７】
基地局情報管理サーバ１２は、すべての移動体通信事業者に属する既設の基地局の基地局データを収集し、その既設の基地局の基地局データに移動体通信事業者の識別番号を付与した後、その基地局データをデータベース１３に格納する（基地局データ記憶手段）。既設の基地局の基地局データには、既設の基地局の住所および緯度経度、その基地局の基地局名、設置年月日、移動体通信事業者名、指向方向（度）、使用周波数帯域、基地局が設置された物件名、基地局の設置高さ、基地局が設置された物件の高さがある。管理サーバ１２は、既設の基地局の基地局データのうちの住所情報および緯度経度情報に基づき、既設の基地局の位置を地図上にマッピングした位置データを生成し（位置データ生成手段）、生成した位置データに移動体通信事業者の識別番号を付与した後、その位置データをデータベース１３に格納する（位置データ記憶手段）。
【００３８】
基地局情報管理サーバ１２は、すべての移動体通信事業者に属する新設の基地局の基地局データを収集し、その新設基地局の基地局データに移動体通信事業者の識別番号を付与した後、その基地局データをデータベース１３に格納する（基地局データ記憶手段）。新設の基地局の基地局データには、あらたに新設された基地局の住所および緯度経度、その基地局の基地局名、新設年月日、移動体通信事業者名、指向方向（度）、使用周波数帯域、基地局が設置された物件名、新設された基地局の設置高さ、新設基地局が設置された物件の高さがある。管理サーバ１２は、新設基地局の基地局データのうちの住所情報および緯度経度情報に基づき、新設された基地局の位置を地図上にマッピングした位置データを生成し（位置データ生成手段）、生成した位置データに移動体通信事業者の識別番号を付与した後、その位置データをデータベース１３に格納する（位置データ記憶手段）。
【００３９】
基地局情報管理サーバ１２は、すべての移動体通信事業者に属する廃止基地局の基地局データを収集し、その廃止基地局の基地局データをデータベース１３から削除するとともに（基地局データ削除手段）、廃止された基地局の位置データをデータベース１３から削除する（位置データ削除手段）。管理サーバ１２は、廃止された基地局の基地局データをデータベース１３の廃止基地局ファイルに格納する（廃止基地局データ記憶手段）。廃止された基地局の基地局データには、廃止された基地局の住所および緯度経度、その基地局の基地局名、設置年月日、廃止年月日、移動体通信事業者名、指向方向（度）、使用周波数帯域、廃止された基地局が設置されていた物件名、廃止された基地局の設置高さ、廃止基地局が設置されていた物件の高さがある。管理サーバ１２は、廃止基地局の基地局データのうちの住所情報および緯度経度情報に基づき、基地局が廃止された後の位置を地図上にマッピングした廃止位置データを生成し（廃止位置データ生成手段）、生成した廃止位置データに移動体通信事業者の識別番号を付与した後、その廃止位置データをデータベース１３の廃止基地局ファイルに格納する（廃止位置データ記憶手段）。
【００４０】
基地局情報管理サーバ１２は、データベース１３から基地局データを取り出し、取り出した基地局データをディスプレイ１６に表示し（基地局データ出力手段）、プリンタから出力する（基地局データ出力手段）。管理サーバ１２は、キャリアコンピュータ１１Ａ，１１Ｂから既設や新設、廃止基地局の基地局データの送信要求があると、その基地局の基地局データをデータベース１３から取り出し、取り出した基地局データをコンピュータ１１Ａ，１１Ｂに出力する（基地局データ出力手段）。また、管理サーバ１２は、既設や新設、廃止基地局の基地局データを所定の間隔（日単位、週単位、月単位等）でコンピュータ１１Ａ，１１Ｂに出力することもできる（基地局データ出力手段）。
【００４１】
キャリアコンピュータ１１Ａ，１１Ｂは、基地局情報管理サーバ１２から出力された基地局データをディスプレイ１７に表示するとともに、プリンタから出力する。管理サーバ１２は、基地局データを各通信エリア毎（各サービスエリア毎）に区分して出力することができ、基地局データを各移動体通信事業者毎（各キャリア毎）に区分して出力することができる。さらに、過去から現在までの期間から所定の期日が指定されたときにその指定期日における基地局データを出力することができる。
【００４２】
基地局情報管理サーバ１２は、ＧＩＳを利用し、位置データに基づいて既設および新設の基地局の三次元立体画像を生成しつつ、その立体画像を三次元地図画面上に表示した三次元位置画像を生成する（三次元位置画像生成手段）。管理サーバ１２は、ＧＩＳを利用し、位置データに基づいて基地局が廃止された後の位置の三次元立体画像を生成しつつ、その立体画像を三次元地図画面上に表示した三次元位置画像を生成する（三次元位置画像生成手段）。管理サーバ１２は、生成した三次元位置画像をデータベース１３に格納する（三次元位置画像記憶手段）。管理サーバ１２は、データベース１３から三次元位置画像（三次元地図画面上に表示された既設および新設の基地局の三次元立体画像、三次元地図画面上に表示された廃止基地局があった位置の三次元立体画像）を取り出し、その三次元位置画像をディスプレイ１６に表示するとともに（三次元位置画像出力手段）、プリンタから出力する（三次元位置画像出力手段）。
【００４３】
基地局情報管理サーバ１２は、キャリアコンピュータ１１Ａ，１１Ｂから既設基地局や新設基地局、廃止された基地局の位置の三次元位置画像の送信要求があると、三次元位置画像をデータベースから取り出し、取り出した三次元位置画像をコンピュータ１１Ａ，１１Ｂに出力する（三次元位置画像出力手段）。また、管理サーバ１２は、既設基地局や新設基地局、廃止された基地局の位置の三次元位置画像を所定の間隔（日単位、週単位、月単位等）でコンピュータ１１Ａ，１１Ｂに出力することもできる（三次元位置画像出力手段）。
【００４４】
キャリアコンピュータ１１Ａ，１１Ｂは、基地局情報管理サーバ１２から出力された三次元位置画像をディスプレイ１７に表示するとともに、プリンタから出力する。管理サーバ１２は、三次元位置画像（三次元地図画面上に表示された既設および新設の基地局の三次元立体画像、三次元地図画面上に表示された廃止基地局があった位置の三次元立体画像）を各通信エリア毎（各サービスエリア毎）に区分して出力することができ、三次元位置画像を各移動体通信事業者毎（各キャリア毎）に区分して出力することができる。さらに、過去から現在までの期間から所定の期日が指定されたときにその指定期日における三次元位置画像を出力することができる。
【００４５】
基地局情報管理サーバ１２は、過去から現在までの期間から所定の期間が指定されたとき、その指定期間内に新設された基地局の基地局データをデータベース１３から取り出し、取り出した基地局データをディスプレイ１６に表示するとともに（期間指定基地局データ出力手段）、プリンタから出力する（期間指定基地局データ出力手段）。管理サーバ１２は、キャリアコンピュータ１１Ａ，１１Ｂから指定期間内に新設された基地局の基地局データの送信要求があると、それに対応する基地局データをデータベース１３から取り出し、取り出した基地局データをコンピュータ１１Ａ，１１Ｂに出力する（期間指定基地局データ出力手段）。コンピュータ１１Ａ，１１Ｂは、管理サーバ１２から出力された指定期間内における新設基地局の基地局データをディスプレイ１７に表示するとともに、プリンタから出力する。
【００４６】
基地局情報管理サーバ１２は、過去から現在までの期間から所定の期間が指定されたとき、その指定期間内に新設された基地局の三次元位置画像をデータベース１３から取り出し、取り出した三次元位置画像をディスプレイ１６に表示するとともに（期間指定三次元位置画像出力手段）、プリンタから出力する（期間指定三次元位置画像出力手段）。管理サーバ１２は、キャリアコンピュータ１１Ａ，１１Ｂから指定期間内に新設された基地局の三次元位置画像の送信要求があると、それに対応した三次元位置画像をデータベース１３から取り出し、取り出した三次元位置画像をコンピュータ１１Ａ，１１Ｂに出力する（期間指定基地局データ出力手段）。コンピュータ１１Ａ，１１Ｂは、管理サーバ１２から出力された指定期間内における新設基地局の三次元位置画像をディスプレイ１７に表示するとともに、プリンタから出力する。
【００４７】
基地局情報管理サーバ１２は、過去から現在までの期間から所定の期間が指定されたとき、その指定期間内に廃止された基地局の基地局データをデータベース１３から取り出し、取り出した基地局データをディスプレイ１６に表示するとともに（期間指定基地局データ出力手段）、プリンタから出力する（期間指定基地局データ出力手段）。管理サーバ１２は、キャリアコンピュータ１１Ａ，１１Ｂから指定期間内に廃止された基地局の基地局データの送信要求があると、それに対応する基地局データをデータベース１３から取り出し、取り出した基地局データをコンピュータ１１Ａ，１１Ｂに出力する（期間指定基地局データ出力手段）。コンピュータ１１Ａ，１１Ｂは、管理サーバ１２から出力された指定期間内における廃止基地局の基地局データをディスプレイ１７に表示するとともに、プリンタから出力する。
【００４８】
基地局情報管理サーバ１２は、過去から現在までの期間から所定の期間が指定されたとき、その指定期間内に廃止された基地局の位置の三次元位置画像をデータベース１３から取り出し、取り出した三次元位置画像をディスプレイ１６に表示するとともに（期間指定三次元位置画像出力手段）、プリンタから出力する（期間指定三次元位置画像出力手段）。管理サーバ１２は、コンピュータ１１Ａ，１１Ｂから指定期間内に廃止された基地局の位置の三次元位置画像の送信要求があると、それに対応した三次元位置画像をデータベース１３から取り出し、取り出した三次元位置画像をコンピュータ１１Ａ，１１Ｂに出力する（期間指定基地局データ出力手段）。コンピュータ１１Ａ，１１Ｂは、管理サーバ１２から出力された指定期間内における廃止基地局の位置の三次元位置画像をディスプレイ１７に表示するとともに、プリンタから出力する。
【００４９】
基地局情報管理サーバ１２は、すべての移動体通信事業者に属する新設予定の基地局の新設予定基地局データを収集し、その新設予定基地局データに移動体通信事業者の識別番号を付与した後、その新設予定基地局データをデータベース１３に格納する（新設予定基地局データ記憶手段）。新設予定基地局データには、新設を予定する新設予定基地局の住所および緯度経度、新設予定基地局の基地局名、新設予定年月日、移動体通信事業者名、指向方向（度）、使用周波数帯域、新設予定基地局が設置される物件名、新設予定基地局の設置高さ、基地局が設置される物件の高さがある。管理サーバ１２は、新設予定基地局データのうちの住所情報および緯度経度情報に基づき、基地局を新設する新設予定位置を地図上にマッピングした新設予定位置データを生成し（新設予定位置データ生成手段）、生成した新設予定位置データに移動体通信事業者の識別番号を付与した後、その新設予定位置データをデータベース１３に格納する（新設予定位置データ記憶手段）。
【００５０】
基地局情報管理サーバ１２は、データベース１３から新設予定基地局データを取り出し、取り出した新設予定基地局データをディスプレイ１６に表示するとともに（新設予定基地局データ出力手段）、プリンタから出力する（新設予定基地局データ出力手段）。管理サーバ１２は、キャリアコンピュータ１１Ａ，１１Ｂから新設予定基地局データの送信要求があると、新設予定基地局データをデータベース１３から取り出し、取り出した新設予定基地局データをコンピュータ１１Ａ，１１Ｂに出力する（新設予定基地局データ出力手段）。また、管理サーバ１２は、新設予定基地局データを所定の間隔（日単位、週単位、月単位等）でコンピュータ１１Ａ，１１Ｂに送信することもできる（新設予定基地局データ出力手段）。
【００５１】
キャリアコンピュータ１１Ａ，１１Ｂは、基地局情報管理サーバ１２から出力された新設予定基地局データをディスプレイ１７に表示するとともに、プリンタから出力する。管理サーバ１２は、新設予定基地局データを各通信エリア毎（各サービスエリア毎）に区分して出力することができ、新設予定基地局データを各移動体通信事業者毎（各キャリア毎）に区分して出力することができる。さらに、現在から将来に向かった期間から所定の期間が指定されたときにその指定期間における新設予定基地局データを出力することができる。
【００５２】
基地局情報管理サーバ１２は、ＧＩＳを利用し、新設予定位置データに基づいて基地局の新設を予定する位置の三次元立体画像を生成しつつ、その立体画像を三次元地図画面上に表示した三次元新設予定位置画像を生成する（三次元新設予定位置画像生成手段）。管理サーバ１２は、生成した三次元新設予定位置画像をデータベース１３に格納する（三次元新設予定位置画像記憶手段）。管理サーバ１２は、データベース１３から三次元新設予定位置画像（三次元地図画面上に表示された新設を予定する基地局の位置の三次元立体画像）を取り出し、その三次元新設予定位置画像をディスプレイ１６に表示するとともに（三次元新設予定位置画像出力手段）、プリンタから出力する（三次元新設予定位置画像出力手段）。
【００５３】
基地局情報管理サーバ１２は、キャリアコンピュータ１１Ａ，１１Ｂから三次元新設予定位置画像の送信要求があると、三次元新設予定位置画像をデータベース１３から取り出し、取り出した三次元新設予定位置画像をコンピュータ１１Ａ，１１Ｂに出力する（三次元新設予定位置画像出力手段）。また、管理サーバ１２は、三次元新設予定位置画像を所定の間隔（日単位、週単位、月単位等）でコンピュータ１１Ａ，１１Ｂに出力することもできる（三次元新設予定位置画像出力手段）。コンピュータ１１Ａ，１１Ｂは、管理サーバ１２から出力された三次元新設予定位置画像をディスプレイ１７に表示するとともに、プリンタから出力する。管理サーバ１２は、三次元新設予定位置画像（三次元地図画面上に表示された新設を予定する基地局の位置の三次元立体画像）を各通信エリア毎（各サービスエリア毎）に区分して出力することができ、三次元新設予定位置画像を各移動体通信事業者毎（各キャリア毎）に区分して出力することができる。さらに、現在から将来に向かった期間から所定の期間が指定されたときにその指定期間における三次元新設予定位置画像を出力することができる。
【００５４】
基地局情報管理サーバ１２は、すべての移動体通信事業者に属する廃止予定の基地局の廃止予定基地局データを収集し、その廃止予定基地局データに移動体通信事業者の識別番号を付与した後、その廃止予定基地局データをデータベース１３に格納する（廃止予定基地局データ記憶手段）。廃止予定基地局データには、廃止を予定する廃止予定基地局の住所および緯度経度、廃止予定基地局の基地局名、廃止予定年月日、移動体通信事業者名、指向方向（度）、使用周波数帯域、廃止予定基地局が設置されている物件名、廃止予定基地局の設置高さ、廃止予定基地局が設置されている物件の高さがある。管理サーバ１２は、データベース１３から廃止予定基地局データを取り出し、取り出した廃止予定基地局データをディスプレイ１６に表示するとともに（廃止予定基地局データ出力手段）、プリンタから出力する（廃止予定基地局データ出力手段）。
【００５５】
基地局情報管理サーバ１２は、キャリアコンピュータ１１Ａ，１１Ｂから廃止予定基地局データの送信要求があると、廃止予定基地局データをデータベース１３から取り出し、取り出した基地局データをコンピュータ１１Ａ，１１Ｂに出力する（廃止予定基地局データ出力手段）。また、管理サーバ１２は、廃止予定基地局データを所定の間隔（日単位、週単位、月単位等）でコンピュータ１１Ａ，１１Ｂに出力することもできる（廃止予定基地局データ出力手段）。コンピュータ１１Ａ，１１Ｂは、管理サーバ１２から出力された廃止予定基地局データをディスプレイ１７に表示するとともに、プリンタから出力する。基地局情報管理サーバ１２は、廃止予定基地局データを各通信エリア毎（各サービスエリア毎）に区分して出力することができ、廃止予定基地局データを各移動体通信事業者毎（各キャリア毎）に区分して出力することができる。さらに、現在から将来に向かった期間から所定の期間が指定されたときにその指定期間における廃止予定基地局データを出力することができる。
【００５６】
基地局情報管理サーバ１２は、データベース１３から廃止予定の基地局の三次元位置画像（三次元地図画面上に表示された廃止を予定する基地局の三次元立体画像）を取り出し、その三次元位置画像をディスプレイ１６に表示するとともに（三次元廃止予定位置画像出力手段）、プリンタから出力する（三次元廃止予定位置画像出力手段）。管理サーバ１２は、キャリアコンピュータ１１Ａ，１１Ｂから三次元廃止予定位置画像の送信要求があると、三次元廃止予定位置画像をデータベース１３から取り出し、取り出した三次元廃止予定位置画像をコンピュータ１１Ａ，１１Ｂに出力する（三次元廃止予定位置画像出力手段）。また、管理サーバ１２は、三次元廃止予定位置画像を所定の間隔（日単位、週単位、月単位等）でコンピュータ１１Ａ，１１Ｂに出力することもできる（三次元廃止予定位置画像出力手段）。
【００５７】
キャリアコンピュータ１１Ａ，１１Ｂは、基地局情報管理サーバ１２から出力された廃止予定の基地局の三次元位置画像をディスプレイ１７に表示するとともに、プリンタから出力する。管理サーバ１２は、廃止予定の基地局の三次元位置画像を各通信エリア毎（各サービスエリア毎）に区分して出力することができ、その三次元位置画像を各移動体通信事業者毎（各キャリア毎）に区分して出力することができる。さらに、現在から将来に向かった期間から所定の期間が指定されたときにその指定期間における廃止予定の基地局の三次元位置画像を出力することができる。
【００５８】
図２は、基地局情報管理サーバ１２やキャリアコンピュータ１１Ａ，１１Ｂのディスプレイ１６，１７に表示される認証手続の表示画面の一例を示す図である。管理サーバ１２は、その起動時やコンピュータ１１Ａ，１１Ｂの起動時における認証を行う（認証実行手段）。認証では、管理サーバ１２を起動した管理者が正当権限を有するか否か、あるいは、コンピュータ１１Ａ，１１Ｂを管理サーバ１２にログインさせ、管理サーバ１２を利用してコンピュータ１１Ａ，１１Ｂに各種の基地局データの閲覧を許可するか否かを判断する。管理サーバ１２が行う認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００５９】
基地局情報管理サーバ１２やキャリアコンピュータ１１Ａ，１１Ｂを起動させると、ディスプレイ１６，１７には、図２に示すように、ユーザ名の入力エリア１８とパスワードの入力エリア１９とが表示される。管理サーバ１２の管理者や移動体通信事業者は、それら入力エリア１８，１９にユーザ名とパスワードとを入力した後、ログインボタンをクリックする。管理サーバ１２は、入力されたユーザ名およびパスワードをメモリに格納されたそれらと比較し、ユーザ名およびパスワードの正誤を判断する。ユーザ名およびパスワードが正しく認証結果が可である場合、管理サーバ１２は、正当権限がある管理者と判断し、管理者に管理サーバ１２の使用を認めるとともに、コンピュータ１１Ａ，１１Ｂを管理サーバ１２にログインさせる。ユーザ名やパスワードが誤っていて認証結果が不可である場合、管理サーバ１２は、管理サーバ１２の使用やコンピュータ１１Ａ，１１Ｂの管理サーバ１２へのログインを禁止し、ログイン不可メッセージをディスプレイ１６，１７に表示する。
【００６０】
図３は、基地局情報管理サーバ１２やキャリアコンピュータ１１Ａ，１１Ｂのディスプレイ１６，１７に表示される初期画面の一例を示す図であり、図４は、基地局データ表示２０における条件入力画面の一例を示す図である。図５は、ディスプレイ１６，１７に表示された基地局データ（三次元位置画像を含む）の一例を示す図である。図６は、三次元地図上に出力された基地局の三次元立体画像の図である。図５，６では、基地局データの具体的な内容の表示を省略している。管理サーバ１２を起動させ、認証手続きが完了すると、図３に示す初期画面がディスプレイ１６に表示される。また、コンピュータ１１Ａ，１１Ｂが管理サーバ１２にログインすると、図３に示す初期画面がそれらコンピュータ１１Ａ，１１Ｂのディスプレイ１７に表示される。初期画面には、基地局データ表示２０、新設基地局データ表示２１、廃止基地局データ表示２２、新設予定基地局データ表示２３、廃止予定基地局データ表示２４の各メニュー項目が表示されている。
【００６１】
基地局データ表示２０は、既設の基地局の基地局データ（三次元位置画像を含む）を検索する場合に使用し、新設基地局データ表示２１は、新設の基地局の基地局データ（三次元位置画像を含む）を検索する場合に使用する。廃止基地局データ表示２２は、廃止された基地局の基地局データ（三次元位置画像を含む）を検索する場合に使用し、新設予定基地局データ表示２３は、新設予定の基地局の基地局データ（三次元新設予定位置画像を含む）を検索する場合に使用する。廃止予定基地局データ表示２４は、廃止予定の基地局の基地局データ（三次元廃止予定位置画像を含む）を検索する場合に使用する。
【００６２】
基地局データ表示２０を選択する場合、管理サーバ１２の管理者や移動体通信事業者は、ディスプレイ１６，１７に表示されたメニュー項目から基地局データ表示２０をクリックする。基地局データ表示２０をクリックすると、図４に示す条件入力画面がディスプレイ１６，１７に表示される。図４の条件入力画面には、全表示２５、通信エリア別表示２６、キャリア別表示２７、期日指定表示２８が表示されている。管理者や移動体通信事業者が全表示２５をクリックすると、図示はしていないが、過去から現在までに存在する既設の基地局の一覧表が表示される。一覧表では、各基地局が都道府県別や市町村別、住所別に区分されている。ディスプレイ１６，１７には、初期画面として都道府県別が表示され、二次画面として市町村別が表示される。
【００６３】
管理者や移動体通信事業者が所定の都道府県を選択し、さらに、所定の市町村を選択し、番地を入力して住所を特定すると、図５に示すように、特定された住所における基地局の基地局データ（三次元位置画像３７を含む）がディスプレイ１６，１７に表示される。ディスプレイ１６，１７には、基地局データとして、住所表示エリア２９に基地局の住所、緯度経度表示エリア３０に基地局の緯度経度、基地局名表示エリア３１に基地局の基地局名、設置年月日表示エリア３２に基地局の設置年月日、キャリア表示エリア３３に移動体通信事業者名、指向方向（度）表示エリア３４に指向方向（度）、使用周波数帯域表示エリア３５に使用周波数帯域、物件名表示エリア３６に基地局が設置された物件名が表示される。
【００６４】
管理者や移動体通信事業者がディスプレイ１６，１７に表示された三次元位置画像３７をクリックすると、ディスプレイ１６，１７には、図６に示すように、三次元地図上に出力された基地局の三次元立体画像が表示される。図６では、基地局が設置された建造物の他に、その周辺に隣接する建造物等の三次元立体画像が表示され、さらに、基地局（アンテナ）高さ表示エリア３８に基地局（アンテナ）の高さ（標高）が表示され、設置建造物高さ表示エリア３９に基地局が設置された建造物（物件）の高さ（標高）が表示される。管理者や移動体通信事業者は、図６の三次元立体画像によって、基地局の設置高さや建造物高さ、アンテナ型、周辺の建造物、周辺の地形等の現実の設置状況を把握することができる。
【００６５】
図７は、ディスプレイ１６，１７に表示された通信エリア４０の一例を示す図である。管理者や移動体通信事業者が図４の条件入力画面において通信エリア別表示２６をクリックすると、図示はしていないが、過去から現在までに存在する通信エリアの一覧表が表示される。一覧表では、通信エリアが都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択すると、図７に示すように、特定された市町村における地図上に出力された通信エリア４０がディスプレイ１６，１７に表示される。通信エリア４０には、そこに存在する基地局が基地局フラッグ４１として表示されている。管理者や移動体通信事業者が通信エリア４０に表示された特定の基地局フラッグ４１をクリックすると、そのフラッグ４１に対応する基地局の基地局データ（三次元位置画像を含む）が表示される（図５援用）。さらに、管理者や移動体通信事業者がディスプレイ１６，１７に表示された三次元位置画像をクリックすると、ディスプレイ１６，１７には、三次元地図上に出力された基地局の三次元立体画像が表示される（図６援用）。管理者や移動体通信事業者は、指定した通信エリア４０に設置された基地局の設置高さや建造物高さ、アンテナ型、周辺の建造物、周辺の地形等の現実の設置状況を把握することができる。
【００６６】
管理者や移動体通信事業者が図４の条件入力画面においてキャリア別表示２７をクリックすると、図示はしていないが、移動体通信事業者の一覧表が表示される。管理者や移動体通信事業者が特定のキャリアを選択すると、そのキャリアに属する過去から現在までの既設の基地局の一覧表が表示される。一覧表では、各基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、特定された住所における基地局の基地局データ（三次元位置画像を含む）がディスプレイ１６，１７に表示される（図５援用）。さらに、管理者や移動体通信事業者がディスプレイ１６，１７に表示された三次元位置画像をクリックすると、ディスプレイ１６，１７には、三次元地図上に出力された基地局の三次元立体画像が表示される（図６援用）。管理者や移動体通信事業者は、指定したキャリアに対応する基地局の設置高さや建造物高さ、アンテナ型、周辺の建造物、周辺の地形等の現実の設置状況を把握することができる。
【００６７】
管理者や移動体通信事業者が図４の条件入力画面において期日指定表示２８をクリックすると、図示はしていないが、期日入力エリアがディスプレイ１６，１７に表示される。管理者や移動体通信事業者が期日入力エリアに所定の期日を入力すると、その期日に存在する既設の基地局の一覧表が表示される。一覧表では、各基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、特定された住所における基地局の基地局データ（三次元位置画像を含む）がディスプレイ１６，１７に表示される（図５援用）。さらに、管理者や移動体通信事業者がディスプレイ１６，１７に表示された三次元位置画像をクリックすると、ディスプレイ１６，１７には、三次元地図上に出力された基地局の三次元立体画像が表示される（図６援用）。管理者や移動体通信事業者は、指定した期日における基地局の設置高さや建造物高さ、アンテナ型、周辺の建造物、周辺の地形等の現実の設置状況を把握することができる。
【００６８】
管理者や移動体通信事業者は、図４の条件入力画面において複数の条件を設定することもできる。例えば、通信エリア別表示２６とキャリア別表示２７とをクリックすると、過去から現在までに存在するキャリア別の通信エリアの一覧表がディスプレイ１６，１７に表示される。通信エリア別表２６と期日指定表示２８とをクリックすると、指定期日における通信エリアの一覧表がディスプレイ１６，１７に表示される。通信エリア別表示２６とキャリア別表示２７と期日指定表示２８とをクリックすると、指定期日におけるキャリア別の通信エリアの一覧表がディスプレイ１６，１７に表示される。さらに、キャリア別表示２７と期日指定表示２８とをクリックすると、指定期日における移動体通信事業者の一覧表がディスプレイ１６，１７に表示される。
【００６９】
図８は、新設基地局データ表示２１における条件入力画面の一例を示す図である。図９は、ディスプレイ１６，１７に表示された新設基地局の基地局データ（三次元位置画像を含む）の一例を示す図である。図１０は、三次元地図上に出力された基地局の三次元立体画像の図である。図９，１０では、新設基地局の基地局データの具体的な内容の表示を省略している。新設基地局データ表示２１を選択する場合、管理サーバ１２の管理者や移動体通信事業者は、図３の初期画面のメニュー項目から新設基地局データ表示２１をクリックする。新設基地局データ表示２１をクリックすると、図８に示す条件入力画面がディスプレイ１６，１７に表示される。図８の条件入力画面には、期日入力エリア４２、期間入力エリア４３、全表示４４、通信エリア別表示４５、キャリア別表示４６が表示されている。
【００７０】
管理者や移動体通信事業者が図８の条件入力画面において期日入力エリア４２に所定の期日を入力し、または、期間入力エリア４３に所定の期間を入力し、全表示４４を選択した後、実行ボタンをクリックすると、図示はしていないが、指定した期日または指定した期間に新設された新設基地局の一覧表が表示される。一覧表では、新設基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、図９に示すように、特定された住所における新設基地局の基地局データ（三次元位置画像５５を含む）がディスプレイ１６，１７に表示される。
【００７１】
ディスプレイ１６，１７には、新設基地局データとして、住所表示エリア４７に新設基地局の住所、緯度経度表示エリア４８に新設基地局の緯度経度、基地局名表示エリア４９に新設基地局の基地局名、設置年月日表示エリア５０に新設基地局の設置年月日、キャリア表示エリア５１に移動体通信事業者名、指向方向（度）表示エリア５２に指向方向（度）、使用周波数帯域表示エリア５３に使用周波数帯域、物件名表示エリア５４に新設基地局が設置された物件名が表示される。管理者や移動体通信事業者がディスプレイ１６，１７に表示された三次元位置画像をクリックすると、ディスプレイ１６，１７には、図１０に示すように、三次元地図上に出力された新設基地局の三次元立体画像が表示される。図１０では、新設基地局の他に、その周辺の地形等の三次元立体画像が表示され、さらに、基地局（アンテナ）高さ表示エリア５６に基地局（アンテナ）の高さ（標高）が表示される。管理者や移動体通信事業者は、図１０の三次元立体画像によって、指定した期日または指定した期間における新設基地局の設置高さやアンテナ型、周辺の地形等の現実の設置状況を把握することができる。
【００７２】
図１１は、ディスプレイ１６，１７に表示された通信エリア５７の他の一例を示す図である。管理者や移動体通信事業者が図８の条件入力画面において期日入力エリア４２に所定の期日を入力し、または、期間入力エリア４３に所定の期間を入力し、通信エリア別表示４５を選択した後、実行ボタンをクリックすると、図示はしていないが、指定した期日または指定した期間に新設された新設基地局のみを含む通信エリア別の一覧表が表示される。一覧表では、通信エリアが都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択すると、図１１に示すように、特定された市町村における地図上に出力された通信エリア５７がディスプレイ１６，１７に表示される。
【００７３】
通信エリア５７には、そこに存在する新設の基地局が基地局フラッグ５８として表示されている。管理者や移動体通信事業者が通信エリア５７に表示された特定の基地局フラッグ５８をクリックすると、そのフラッグ５８に対応する新設の基地局の基地局データ（三次元位置画像を含む）が表示される（図９援用）。さらに、管理者や移動体通信事業者がディスプレイ１６，１７に表示された三次元位置画像をクリックすると、ディスプレイ１６，１７には、三次元地図上に出力された新設の基地局の三次元立体画像が表示される（図１０援用）。管理者や移動体通信事業者は、指定期日または指定期間における通信エリア別の新設の基地局の設置高さやアンテナ型、周辺の建造物、周辺の地形等の現実の設置状況を把握することができる。
【００７４】
管理者や移動体通信事業者が図８の条件入力画面において期日入力エリア４２に所定の期日を入力し、または、期間入力エリア４３に所定の期間を入力し、キャリア別表示４６を選択した後、実行ボタンをクリックすると、図示はしていないが、指定した期日または指定した期間の新設基地局のみを含む移動体通信事業者別の一覧表が表示される。管理者や移動体通信事業者が特定のキャリアを選択すると、そのキャリアに属する指定期日または指定期間における新設の基地局の一覧表が表示される。一覧表では、新設の基地局が都道府県別や市町村別、住所別に区分されている。ディスプレイ１６，１７には、初期画面として都道府県別が表示され、二次画面として市町村別が表示される。
【００７５】
管理者や移動体通信事業者が所定の都道府県を選択し、さらに、所定の市町村を選択し、番地を入力して住所を特定すると、特定された住所における新設の基地局の基地局データ（三次元位置画像を含む）がディスプレイ１６，１７に表示される（図９援用）。さらに、管理者や移動体通信事業者がディスプレイ１６，１７に表示された三次元位置画像をクリックすると、ディスプレイ１６，１７には、三次元地図上に出力された新設の基地局の三次元立体画像が表示される（図１０援用）。管理者や移動体通信事業者は、指定期日または指定期間におけるキャリア別の基地局の設置高さやアンテナ型、周辺の建造物、周辺の地形等の現実の設置状況を把握することができる。管理者や移動体通信事業者は、図８の条件入力画面において複数の条件を設定することもできる。例えば、通信エリア別表示４５とキャリア別表示４６とをクリックすると、指定期日または指定期間におけるキャリア別の通信エリアの一覧表が表示される。
【００７６】
図１２は、廃止基地局データ表示２２における条件入力画面の一例を示す図である。図１３は、ディスプレイ１６，１７に表示された廃止基地局の基地局データ（三次元位置画像を含む）の一例を示す図である。図１４は、三次元地図上に出力された廃止基地局の位置の三次元立体画像の図である。図１３，１４では、廃止された基地局（アンテナ）を点線で示すとともに、廃止された基地局の基地局データの具体的な内容の表示を省略している。廃止基地局データ表示２２を選択する場合、管理サーバ１２の管理者や移動体通信事業者は、図３の初期画面のメニュー項目から廃止基地局データ表示２２をクリックする。廃止基地局データ表示２２をクリックすると、図１２に示す条件入力画面がディスプレイ１６，１７に表示される。図１２の条件入力画面には、期日入力エリア５９、期間入力エリア６０、全表示６１、通信エリア別表示６２、キャリア別表示６３が表示されている。
【００７７】
管理者や移動体通信事業者が図１２の条件入力画面において期日入力エリア５９に所定の期日を入力し、または、期間入力エリア６０に所定の期間を入力し、全表示６１を選択した後、実行ボタンをクリックすると、図示はしていないが、指定した期日または指定した期間に廃止された廃止基地局の一覧表が表示される。一覧表では、廃止基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、図１３に示すように、特定された住所における廃止基地局の基地局データ（基地局が廃止された後の位置の三次元位置画像７３を含む）がディスプレイ１６，１７に表示される。
【００７８】
ディスプレイ１６，１７には、廃止基地局データとして、住所表示エリア６４に廃止基地局の住所、緯度経度表示エリア６５に廃止基地局の緯度経度、基地局名表示エリア６６に廃止基地局の基地局名、設置年月日表示エリア６７に廃止基地局の設置年月日、廃止年月日表示エリア６８に基地局を廃止した廃止年月日、キャリア表示エリア６９に移動体通信事業者名、指向方向（度）表示エリア７０に指向方向（度）、使用周波数帯域表示エリア７１に使用周波数帯域、物件名表示エリア７２に廃止基地局が設置されていた物件名が表示される。
【００７９】
管理者や移動体通信事業者がディスプレイ１６，１７に表示された三次元位置画像７３をクリックすると、ディスプレイ１６，１７には、図１４に示すように、三次元地図上に出力された廃止基地局の位置の三次元立体画像が表示される。図１４では、廃止基地局の位置の他に、その周辺の建造物等の三次元立体画像が表示され、さらに、基地局（アンテナ）高さ表示エリア７４に基地局（アンテナ）の高さ（標高）が表示され、設置建造物高さ表示エリア７５に基地局が設置されていた建造物（物件）の高さ（標高）が表示される。管理者や移動体通信事業者は、図１４の三次元立体画像によって、指定した期日または指定した期間における廃止基地局の設置高さや建造物の高さ、アンテナ型、周辺の建造物等の現実の設置状況を把握することができる。
【００８０】
図１５は、ディスプレイ１６，１７に表示された通信エリア７６の他の一例を示す図である。管理者や移動体通信事業者が図１２の条件入力画面において期日入力エリア５９に所定の期日を入力し、または、期間入力エリア６０に所定の期間を入力し、通信エリア別表示６２を選択した後、実行ボタンをクリックすると、図示はしていないが、指定した期日または指定した期間に廃止された廃止基地局のみを含む通信エリア別の一覧表が表示される。一覧表では、通信エリアが都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択すると、図１５に示すように、特定された市町村における地図上に出力された通信エリア７６がディスプレイ１６，１７に表示される。
【００８１】
通信エリア７６には、そこから廃止された基地局が基地局フラッグ７７として表示されている。管理者や移動体通信事業者が通信エリア７６に表示された特定の基地局フラッグ７７をクリックすると、そのフラッグ７７に対応する廃止基地局の基地局データ（基地局が廃止された後の位置の三次元位置画像を含む）が表示される（図１３援用）。さらに、管理者や移動体通信事業者がディスプレイ１６，１７に表示された三次元位置画像をクリックすると、ディスプレイ１６，１７には、三次元地図上に出力された廃止基地局の位置の三次元立体画像が表示される（図１４援用）。管理者や移動体通信事業者は、指定期日または指定期間における通信エリア別の廃止基地局の設置高さや建造物の高さ、アンテナ型、周辺の建造物、周辺の地形等の現実の設置状況を把握することができる。
【００８２】
管理者や移動体通信事業者が図１２の条件入力画面において期日入力エリア５９に所定の期日を入力し、または、期間入力エリア６０に所定の期間を入力し、キャリア別表示６３を選択した後、実行ボタンをクリックすると、図示はしていないが、指定した期日または指定した期間に廃止された廃止基地局のみを含む移動体通信事業者別の一覧表が表示される。管理者や移動体通信事業者が特定のキャリアを選択すると、そのキャリアに属する指定期日または指定期間における廃止基地局の一覧表が表示される。一覧表では、廃止基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、特定された住所における廃止基地局の基地局データ（基地局が廃止された後の位置の三次元位置画像を含む）がディスプレイ１６，１７に表示される（図１３援用）。
【００８３】
管理者や移動体通信事業者がディスプレイ１６，１７に表示された三次元位置画像をクリックすると、ディスプレイ１６，１７には、三次元地図上に出力された廃止基地局の位置の三次元立体画像が表示される（図１４援用）。管理者や移動体通信事業者は、指定期日または指定期間におけるキャリア別の廃止基地局の設置高さや建造物の高さ、アンテナ型、周辺の建造物、周辺の地形等の現実の設置状況を把握することができる。管理者や移動体通信事業者は、図８の条件入力画面において複数の条件を設定することもできる。例えば、通信エリア別表示６２とキャリア別表示６３とをクリックすると、指定期日または指定期間におけるキャリア別の通信エリアの一覧表が表示される。
【００８４】
図１６は、新設予定基地局データ表示２３における条件入力画面の一例を示す図である。図１７は、ディスプレイ１６，１７に表示された新設予定基地局の新設予定基地局データ（三次元新設予定位置画像を含む）の一例を示す図である。図１８は、三次元地図上に出力された新設予定基地局の位置の三次元立体画像の図である。図１７，１８では、新設予定基地局（アンテナ）を点線で示すとともに、新設予定基地局データの具体的な内容の表示を省略している。新設予定基地局データ表示２３を選択する場合、管理サーバ１２の管理者や移動体通信事業者は、図３の初期画面のメニュー項目から新設予定基地局データ表示２３をクリックする。新設予定基地局データ表示２３をクリックすると、図１６に示す条件入力画面がディスプレイ１６，１７に表示される。図１６の条件入力画面には、全表示７８、通信エリア別表示７９、キャリア別表示８０、期間指定表示８１が表示されている。
【００８５】
管理者や移動体通信事業者が全表示７８をクリックすると、図示はしていないが、現在から将来にかけて新設が予定される基地局の一覧表が表示される。一覧表では、新設予定基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、図１７に示すように、特定された住所における新設予定基地局データ（三次元新設予定位置画像９０を含む）がディスプレイ１６，１７に表示される。
【００８６】
ディスプレイ１６，１７には、新設予定基地局データとして、住所表示エリア８２に新設予定基地局の住所、緯度経度表示エリア８３に新設予定基地局の緯度経度、基地局名表示エリア８４に新設予定基地局の基地局仮名、設置予定年月日表示エリア８５に新設予定基地局の設置予定年月日、キャリア表示エリア８６に移動体通信事業者名、指向方向（度）表示エリア８７に指向方向（度）、使用周波数帯域表示エリア８８に使用周波数帯域、物件名表示エリア８９に新設予定基地局が設置される物件名が表示される。
【００８７】
管理者や移動体通信事業者がディスプレイ１６，１７に表示された三次元新設予定位置画像９０をクリックすると、ディスプレイ１６，１７には、図１８に示すように、三次元地図上に出力された新設予定基地局の位置の三次元立体画像が表示される。図１８では、新設予定基地局が設置される建造物の他に、その周辺に隣接する建造物等の三次元立体画像が表示され、さらに、基地局（アンテナ）高さ表示エリア９１に新設予定基地局（アンテナ）の高さ（標高）が表示され、設置建造物高さ表示エリア９２に新設予定基地局が設置される建造物（物件）の高さ（標高）が表示される。管理者や移動体通信事業者は、図１８の三次元立体画像によって、新設予定基地局の設置高さや建造物の高さ、アンテナ型、周辺の建造物、周辺の地形等の現実の設置状況を把握することができる。
【００８８】
図１９は、ディスプレイ１６，１７に表示された通信エリア９３の一例を示す図である。管理者や移動体通信事業者が図１６の条件入力画面において通信エリア別表示７９をクリックすると、図示はしていないが、新設予定の基地局のみを含む通信エリアの一覧表が表示される。一覧表では、通信エリアが都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択すると、図１９に示すように、特定された市町村における地図上に出力された通信エリア９３がディスプレイ１６，１７に表示される。通信エリア９３には、新設予定の基地局が新設予定基地局フラッグ９４として表示されている。管理者や移動体通信事業者が通信エリア９３に表示された特定の新設予定基地局フラッグ９４をクリックすると、そのフラッグ９４に対応する新設予定基地局データ（三次元新設予定位置画像を含む）が表示される（図１７援用）。さらに、管理者や移動体通信事業者がディスプレイ１６，１７に表示された三次元新設予定位置画像をクリックすると、ディスプレイ１６，１７には、三次元地図上に出力された新設予定基地局の位置の三次元新設予定立体画像が表示される（図１８援用）。管理者や移動体通信事業者は、指定した通信エリア９３における新設予定基地局の設置高さや建造物の高さ、アンテナ型、周辺の建造物、周辺の地形等の現実の設置状況を把握することができる。
【００８９】
管理者や移動体通信事業者が図１６の条件入力画面においてキャリア別表示ボタン８０をクリックすると、図示はしていないが、新設予定の基地局のみを含む移動体通信事業者の一覧表が表示される。管理者や移動体通信事業者が特定のキャリアを選択すると、そのキャリアに属する新設予定基地局の一覧表が表示される。一覧表では、各新設予定基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、特定された住所における新設予定基地局データ（三次元新設予定位置画像を含む）がディスプレイ１６，１７に表示される（図１７援用）。さらに、管理者や移動体通信事業者がディスプレイ１６，１７に表示された三次元新設予定位置画像をクリックすると、ディスプレイ１６，１７には、三次元地図上に出力された新設予定基地局の位置の三次元立体画像が表示される（図１８援用）。管理者や移動体通信事業者は、指定したキャリアにおける新設予定基地局の設置高さや建造物の高さ、アンテナ型、周辺の建造物、周辺の地形等の現実の設置状況を把握することができる。
【００９０】
管理者や移動体通信事業者が図１６の条件入力画面において期間指定表示８１をクリックすると、図示はしていないが、期間入力エリアがディスプレイ１６，１７に表示される。管理者や移動体通信事業者が期間入力エリアに現在から将来の所定の期間を入力すると、その期間に新設予定の基地局の一覧表が表示される。一覧表では、各新設予定基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、特定された住所における新設予定基地局データ（三次元新設予定位置画像を含む）がディスプレイ１６，１７に表示される（図１７援用）。さらに、管理者や移動体通信事業者がディスプレイ１６，１７に表示された三次元新設予定位置画像をクリックすると、ディスプレイ１６，１７には、三次元地図上に出力された新設予定基地局の位置の三次元立体画像が表示される（図１８援用）。管理者や移動体通信事業者は、指定した期間における新設予定基地局の設置高さや建造物の高さ、アンテナ型、周辺の建造物、周辺の地形等の現実の設置状況を把握することができる。
【００９１】
管理者や移動体通信事業者は、図１６の条件入力画面において複数の条件を設定することもできる。例えば、通信エリア別表示７９とキャリア別表示８０とをクリックすると、過去から現在までに存在するキャリア別の通信エリアの一覧表がディスプレイ１６，１７に表示される。通信エリア別表示７９と期間指定表示８１とをクリックすると、指定期間における通信エリアの一覧表がディスプレイ１６，１７に表示される。通信エリア別表示７９とキャリア別表示８０と期間指定表示８１とをクリックすると、指定期間におけるキャリア別の通信エリアの一覧表がディスプレイ１６，１７に表示される。さらに、キャリア別表示８０と期間指定表示８１とをクリックすると、指定期間における移動体通信事業者の一覧表がディスプレイ１６，１７に表示される。
【００９２】
図２０は、廃止予定基地局データ表示２４における条件入力画面の一例を示す図である。図２１は、ディスプレイ１６，１７に表示された廃止予定基地局の廃止予定基地局データ（三次元廃止予定位置画像を含む）の一例を示す図である。図２２は、三次元地図上に出力された廃止予定基地局の三次元立体画像の図である。図２１，２２では、廃止予定基地局データの具体的な内容の表示を省略している。廃止予定基地局データ表示２４を選択する場合、管理サーバ１２の管理者や移動体通信事業者は、図３の初期画面のメニュー項目から廃止予定基地局データ表示２４をクリックする。廃止予定基地局データ表示２４をクリックすると、図２０に示す条件入力画面がディスプレイ１６，１７に表示される。図２０の条件入力画面には、全表示９５、通信エリア別表示９６、キャリア別表示９７、期間指定表示９８が表示されている。
【００９３】
管理者や移動体通信事業者が全表示１５をクリックすると、図示はしていないが、現在から将来にかけて廃止が予定される基地局の一覧表が表示される。一覧表では、各基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、図２１に示すように、特定された住所における廃止予定基地局データ（三次元廃止予定位置画像１０８を含む）がディスプレイ１６，１７に表示される。
【００９４】
ディスプレイ１６，１７には、廃止予定基地局データとして、住所表示エリア９９に廃止予定基地局の住所、緯度経度表示エリア１００に廃止予定基地局の緯度経度、基地局名表示エリア１０１に廃止予定基地局の基地局名、設置年月日表示エリア１０２に廃止予定基地局が設置された年月日、廃止予定年月日表示エリア１０３に廃止予定基地局の廃止予定年月日、キャリア表示エリア１０４に移動体通信事業者名、指向方向（度）表示エリア１０５に指向方向（度）、使用周波数帯域表示エリア１０６に使用周波数帯域、物件名表示エリア１０７に廃止予定基地局が設置されている物件名が表示される。
【００９５】
管理者や移動体通信事業者がディスプレイ１６，１７に表示された三次元廃止予定位置画像１０８をクリックすると、ディスプレイ１６，１７には、図２２に示すように、三次元地図上に出力された廃止予定基地局の三次元立体画像が表示される。図２２では、廃止予定基地局の他に、その周辺の地形等の三次元立体画像が表示され、さらに、基地局（アンテナ）高さ表示エリア１０９に廃止予定基地局（アンテナ）の高さ（標高）が表示される。管理者や移動体通信事業者は、図２２の三次元立体画像によって、廃止予定基地局の設置高さやアンテナ型、周辺の地形等の現実の設置状況を把握することができる。
【００９６】
図２３は、ディスプレイ１６，１７に表示された通信エリア１１０の一例を示す図である。管理者や移動体通信事業者が図２０の条件入力画面において通信エリア別表示９６をクリックすると、図示はしていないが、廃止予定の基地局のみを含む通信エリアの一覧表が表示される。一覧表では、通信エリアが都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択すると、図２３に示すように、特定された市町村における地図上に出力された通信エリア１１０がディスプレイ１６，１７に表示される。
【００９７】
通信エリア１１０には、廃止予定の基地局が廃止予定基地局フラッグ１１１として表示されている。管理者や移動体通信事業者が通信エリア１１０に表示された特定の廃止予定基地局フラッグ１１１をクリックすると、そのフラッグ１１１に対応する廃止予定基地局データ（三次元廃止予定位置画像を含む）が表示される（図２１援用）。さらに、管理者や移動体通信事業者がディスプレイ１６，１７に表示された三次元廃止予定位置画像をクリックすると、ディスプレイ１６，１７には、三次元地図上に出力された廃止予定基地局の三次元廃止予定立体画像が表示される（図２２援用）。管理者や移動体通信事業者は、指定した通信エリア１１０における廃止予定基地局の設置高さやアンテナ型、周辺の建造物、周辺の地形等の現実の設置状況を把握することができる。
【００９８】
管理者や移動体通信事業者が図２０の条件入力画面においてキャリア別表示ボタン９７をクリックすると、図示はしていないが、移動体通信事業者の一覧表が表示される。管理者や移動体通信事業者が特定のキャリアを選択すると、そのキャリアに属する廃止予定基地局の一覧表が表示される。一覧表では、廃止予定基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、特定された住所における廃止予定基地局データ（三次元廃止予定位置画像を含む）がディスプレイ１６，１７に表示される（図２１援用）。さらに、管理者や移動体通信事業者がディスプレイ１６，１７に表示された三次元廃止予定位置画像をクリックすると、ディスプレイ１６，１７には、三次元地図上に出力された廃止予定基地局の三次元立体画像が表示される（図２２援用）。管理者や移動体通信事業者は、指定したキャリアにおける廃止予定基地局の設置高さやアンテナ型、周辺の建造物、周辺の地形等の現実の設置状況を把握することができる。
【００９９】
管理者や移動体通信事業者が図２０の条件入力画面において期間指定表示９８をクリックすると、図示はしていないが、期間入力エリアがディスプレイ１６，１７に表示される。管理者や移動体通信事業者が期間入力エリアに現在から将来にかけての所定の期間を入力すると、その期間に廃止予定の基地局の一覧表が表示される。一覧表では、廃止予定基地局が都道府県別や市町村別、住所別に区分されている。ディスプレイ１６，１７には、初期画面として都道府県別が表示され、二次画面として市町村別が表示される。管理者や移動体通信事業者が所定の都道府県を選択し、さらに、所定の市町村を選択し、番地を入力して住所を特定すると、特定された住所における廃止予定基地局データ（三次元廃止予定位置画像を含む）がディスプレイ１６，１７に表示される（図２１援用）。さらに、管理者や移動体通信事業者がディスプレイ１６，１７に表示された三次元廃止予定位置画像をクリックすると、ディスプレイ１６，１７には、三次元地図上に出力された廃止予定基地局の三次元立体画像が表示される（図２２援用）。管理者や移動体通信事業者は、指定した期間における廃止予定基地局の設置高さやアンテナ型、周辺の建造物、周辺の地形等の現実の設置状況を把握することができる。
【０１００】
管理者や移動体通信事業者は、図２０の条件入力画面において複数の条件を設定することもできる。例えば、通信エリア別表示９６とキャリア別表示９７とをクリックすると、過去から現在までに存在するキャリア別の通信エリアの一覧表がディスプレイ１６，１７に表示される。通信エリア別表示９６と期間指定表示９８とをクリックすると、指定期間における通信エリアの一覧表がディスプレイ１６，１７に表示される。通信エリア別表示９６とキャリア別表示９７と期間指定表示９８とをクリックすると、指定期間におけるキャリア別の通信エリアの一覧表がディスプレイ１６，１７に表示される。さらに、キャリア別表示９７と期間指定表示９８とをクリックすると、指定期間における移動体通信事業者の一覧表がディスプレイ１６，１７に表示される。
【０１０１】
基地局情報管理サーバ１２は、各種の基地局データや新設予定基地局データ、廃止予定基地局データを所定の暗号化方式に基づいて暗号化し（暗号化手段）、データベース１３に格納する。管理サーバ１２は、それらデータをキャリアコンピュータ１１Ａ，１１Ｂに出力する場合、暗号化したデータを複合化する。このネットワーク１０では、管理サーバ１２が各種の基地局データや新設予定基地局データ、廃止予定基地局データを所定の暗号化方式に基づいて暗号化するから、それらデータが管理サーバ１２から外部に流出したとしても、データの内容が解読されることはなく、それらデータ内容の外部への漏出を防ぐことができる。また、それらデータが暗号化されるから、それらデータの内容が改竄されることはなく、データの内容の正当性や真実性を確保することができる。
【０１０２】
なお、公開鍵暗号化方式には、ＲＳＡ方式の他に、ＥＰＯＣ暗号方式、ラビン暗号方式、ディフィー・ヘルマン鍵配送エルガマル暗号方式、楕円ディフィー・ヘルマン鍵配送楕円エルガマル暗号方式のいずれかを使用することもできる。暗号化方式には、共通鍵暗号化方式を単独で使用することもできる。共通鍵暗号化方式には、ＤＥＳ暗号方式、ＦＥＡＬ暗号方式、ＩＤＥＡ暗号方式、ＭＩＳＴＹ暗号方式、ＭＵＬＴＩ暗号方式、ＲＣ２／４／５暗号方式のいずれかを使用することができる。また、暗号化方式には、公開鍵暗号化方式（ＲＳＡ暗号方式）と共通鍵暗号化方式（ＤＥＳ暗号方式）とを併用したＭＩＸ暗号化方式を使用することもできる。
【０１０３】
このネットワーク１０では、基地局情報管理サーバ１２が既存のすべての移動体通信事業者に属する既設の基地局の基地局データを出力するから、特定の移動体通信事業者のみの基地局データしか出力できない場合と比較し、すべての移動体通信事業者の基地局設置状況を把握することができる。このネットワーク１０では、すべての移動体通信事業者の基地局データを参照しつつそれを利用することで、基地局設置の必要性を判断することができるとともに、今後の基地局設置予定地や設置予定日時、設置工事日数等を決定することができ、携帯電話通信網のインフラストラクチャーの整備を円滑に進めることができる。
【０１０４】
このネットワーク１０における基地局情報管理サーバ１２は、あらたな基地局が新設されたときにその基地局の基地局データを記憶し、あらたな基地局が新設されたときにその基地局の位置データを記憶するから、新設された基地局を加えた最新の基地局データを提供することができ、最新の基地局設置状況を把握することができる。このネットワーク１０における管理サーバ１２は、既設の基地局が廃止されたときにその基地局の基地局データを削除し、既設の基地局が廃止されたときにその基地局の位置データを削除するから、廃止された基地局を除いた最新の基地局データを提供することができ、最新の基地局設置状況を把握することができる。
【０１０５】
このネットワーク１０における基地局情報管理サーバ１２は、基地局データを各通信エリア毎に区分して出力可能であり、基地局の三次元立体画像を各通信エリア毎に区分して三次元地図画面上に出力可能であるから、各通信エリアに対応する基地局データを出力することで、通信エリア内に存在する全移動体通信事業者の基地局を把握することができ、通信エリア内における今後の基地局の新設の必要性や廃止の必要性を判断することができる。このネットワーク１０における基地局情報管理サーバ１２は、基地局データを各移動体通信事業者毎に区分して出力可能であり、基地局の三次元立体画像を各移動体通信事業者毎に区分して三次元地図画面上に出力可能であるから、各移動体通信事業者に対応する基地局データを出力することで、移動体通信事業者毎における基地局の設置状況を把握することができ、各移動体通信事業者毎において今後の基地局の新設の必要性や廃止の必要性を判断することができる。
【０１０６】
このネットワーク１０における基地局情報管理サーバ１２は、過去から現在までの期間から所定の期日が指定されたときにその指定期日における基地局データを出力可能であり、過去から現在までの期間から所定の期日が指定されたときにその指定期日における基地局の三次元立体画像を三次元地図画面上に出力可能であるから、指定された期日における基地局の基地局データを出力することで、過去から現在までのいずれかの期日における基地局の設置状況を把握することができ、過去から現在までの基地局の設置状況を比較することができる。さらに、過去から現在までの期間から所定の期間が指定されたときにその指定期間における基地局データを出力可能であり、過去から現在までの期間から所定の期間が指定されたときにその指定期間における基地局の三次元立体画像を三次元地図画面上に出力可能であるから、指定された期間における基地局の基地局データを出力することで、過去から現在までのいずれかの期間における基地局の設置状況を把握することができ、過去から現在までの基地局の設置状況を比較することができる。
【０１０７】
このネットワーク１０における基地局情報管理サーバ１２は、新設予定の基地局の基地局データを出力可能であるから、新設予定の基地局の基地局データを参照しつつそれを利用することで、設置を予定する移動体通信事業者や基地局設置予定地、設置予定日時、設置工事日数等を把握することができる。この基地局情報管理サーバ１２は、基地局が新設される予定位置を三次元の立体画像として三次元地図画面上に出力するから、予定位置を立体的に確認することができ、予定位置の立体画像を参照しつつそれを利用することで、予定位置の高さや周辺の建造物、周辺の地形等の基地局が設置される位置の状況を正確に把握することができる。
【０１０８】
このネットワーク１０における基地局情報管理サーバ１２は、廃止予定の基地局の基地局データを出力可能であるから、廃止予定の基地局の基地局データを参照しつつそれを利用することで、廃止を予定する移動体通信事業者や基地局廃止予定地、廃止予定日時、廃止工事日数等を把握することができる。この基地局情報管理サーバ１２は、廃止される基地局を三次元の立体画像として三次元地図画面上に出力するから、その基地局を立体的に確認することができ、廃止予定の基地局の立体画像を参照しつつそれを利用することで、廃止予定の基地局の高さや周辺の建造物、周辺の地形等の状況を正確に把握することができる。
【図面の簡単な説明】
【０１０９】
【図１】一例として示す基地局情報管理サーバを利用したネットワークの構成図。
【図２】基地局情報管理サーバやキャリアコンピュータのディスプレイに表示される認証手続の表示画面の一例を示す図。
【図３】基地局情報管理サーバやキャリアコンピュータのディスプレイに表示される初期画面の一例を示す図。
【図４】基地局データ表示における条件入力画面の一例を示す図。
【図５】ディスプレイに表示された基地局データ（三次元位置画像を含む）の一例を示す図。
【図６】三次元地図上に出力された基地局の三次元立体画像の図。
【図７】ディスプレイに表示された通信エリアの一例を示す図。
【図８】新設基地局データ表示における条件入力画面の一例を示す図。
【図９】ディスプレイに表示された新設基地局の基地局データ（三次元位置画像を含む）の一例を示す図。
【図１０】三次元地図上に出力された基地局の三次元立体画像の図。
【図１１】ディスプレイに表示された通信エリアの他の一例を示す図。
【図１２】廃止基地局データ表示における条件入力画面の一例を示す図。
【図１３】ディスプレイに表示された廃止基地局の基地局データ（三次元位置画像を含む）の一例を示す図。
【図１４】三次元地図上に出力された廃止基地局の位置の三次元立体画像の図。
【図１５】ディスプレイに表示された通信エリアの他の一例を示す図。
【図１６】新設予定基地局データ表示における条件入力画面の一例を示す図。す図。
【図１７】ディスプレイに表示された新設予定基地局の新設予定基地局データ（三次元新設予定位置画像を含む）の一例を示す図。
【図１８】三次元地図上に出力された新設予定基地局の位置の三次元立体画像の図。
【図１９】ディスプレイに表示された通信エリアの一例を示す図。
【図２０】廃止予定基地局データ表示における条件入力画面の一例を示す図。
【図２１】ディスプレイに表示された廃止予定基地局の廃止予定基地局データ（三次元廃止予定位置画像を含む）の一例を示す図。
【図２２】三次元地図上に出力された廃止予定基地局の三次元立体画像の図。
【図２３】ディスプレイに表示された通信エリアの一例を示す図。
【符号の説明】
【０１１０】
１０    ネットワーク
１１Ａ  キャリアコンピュータ
１１Ｂ  キャリアコンピュータ
１２    基地局情報管理サーバ（基地局情報管理装置）
１３    データベース
１６    ディスプレイ
１７    ディスプレイ
【図１】
2009027633.tif 000003
【図２】
2009027633.tif 000004
【図３】
2009027633.tif 000005
【図４】
2009027633.tif 000006
【図５】
2009027633.tif 000007
【図６】
2009027633.tif 000008
【図７】
2009027633.tif 000009
【図８】
2009027633.tif 000010
【図９】
2009027633.tif 000011
【図１０】
2009027633.tif 000012
【図１１】
2009027633.tif 000013
【図１２】
2009027633.tif 000014
【図１３】
2009027633.tif 000015
【図１４】
2009027633.tif 000016
【図１５】
2009027633.tif 000017
【図１６】
2009027633.tif 000018
【図１７】
2009027633.tif 000019
【図１８】
2009027633.tif 000020
【図１９】
2009027633.tif 000021
【図２０】
2009027633.tif 000022
【図２１】
2009027633.tif 000023
【図２２】
2009027633.tif 000024
【図２３】
2009027633.tif 000025